(57)【要約】【課題】メニュー品目を表す画像の表示レイアウトを容易に変更する。【解決手段】表示部は、メニュー品目（商品またはサービス）を表す写真画像（画像情報）を、指定された表示サイズで表示する。操作領域設定手段は、メニュー品目と関連付いて、当該メニュー品目の選択を指示するタッチ枠（操作領域）を、写真画像に応じた位置に配置する。操作領域重畳手段は、タッチ枠の位置およびサイズを、写真画像の位置および表示サイズに応じて変更して、写真画像に重畳する。【選択図】図６
2018010517.tif 000002
【特許請求の範囲】
【請求項１】
商品またはサービスを表す画像情報を、指定された表示サイズで表示する画像表示手段と、
前記商品または前記サービスと関連付いて、前記商品または前記サービスの選択を指示する操作領域を、前記画像情報に応じた位置に配置する操作領域設定手段と、
前記操作領域の位置およびサイズを、前記画像情報の位置および表示サイズに応じて変更することによって、前記画像情報に重畳する操作領域重畳手段と、を備える
ことを特徴とする情報入力装置。
【請求項２】
前記操作領域設定手段は、前記商品または前記サービスと関連付いた所定サイズの前記操作領域を、前記画像情報に応じた位置に複数配置し、
前記操作領域重畳手段は、複数の前記操作領域を、前記画像情報に応じた位置に整列させることによって、前記画像情報に重畳する
ことを特徴とする請求項１に記載の情報入力装置。
【請求項３】
前記画像情報は、前記画像表示手段における前記画像情報の表示領域を表すレイアウト情報を有して、
前記操作領域設定手段は、前記レイアウト情報に基づく位置に前記操作領域を配置して、
前記操作領域重畳手段は、前記レイアウト情報に基づいて、前記画像情報の表示位置に応じた位置に前記操作領域を設定する、
ことを特徴とする請求項１または請求項２に記載の情報入力装置。
【請求項４】
前記操作領域設定手段は、操作者の操作指示に基づく位置に前記操作領域を配置して、
前記操作領域重畳手段は、前記操作領域のサイズを、操作者の操作指示に応じて変更する、
ことを特徴とする請求項１または請求項２に記載の情報入力装置。
【請求項５】
前記画像情報に応じた位置に、前記画像情報と対応する前記商品または前記サービスと関連付いた情報を表示するとともに、前記商品または前記サービスの選択を指示する操作領域を有する情報表示領域を設定する情報表示領域設定手段を備える
ことを特徴とする請求項１から請求項４のいずれか１項に記載の情報入力装置。
【請求項６】
商品またはサービスを表す画像情報を、指定された表示サイズで表示する画像表示ステップと、
前記商品または前記サービスと関連付いて、前記商品または前記サービスの選択を指示する操作領域を、前記画像情報に応じた配置する操作領域設定ステップと、
前記操作領域の位置およびサイズを、前記画像情報の位置および表示サイズに応じて変更することによって、前記画像情報に重畳する操作領域重畳ステップと、
をコンピュータに実行させるためのプログラム。
【発明の詳細な説明】
【技術分野】
【０００１】
本発明の実施形態は、情報入力装置およびプログラムに関する。
【背景技術】
【０００２】
従来、飲食店等において、オーダ端末にメニューを表す画像（メニュー画像）を表示するとともに、当該画像にスイッチ（ボタン）を重畳して配置し、このボタンにタッチすることによってメニューのオーダを行う注文方式が用いられている（例えば、特許文献１）。
【０００３】
しかしながら、このような注文受付処理装置にあっては、ボタンのサイズが固定されているため、メニュー画像の大きさを変更することができず、特定のメニューをアピールするように使うのが困難であった。
【発明の概要】
【発明が解決しようとする課題】
【０００４】
本発明が解決しようとする課題は、メニュー品目を表す画像の表示レイアウトを容易に変更することができる情報入力装置およびプログラムを提供することである。
【課題を解決するための手段】
【０００５】
実施形態の情報入力装置は、画像表示手段と、操作領域設定手段と、操作領域重畳手段と、を備える。画像表示手段は、商品またはサービスを表す画像情報を、指定された表示サイズで表示する。操作領域設定手段は、商品または前記サービスと関連付いて、前記商品または前記サービスの選択を指示する操作領域を、前記画像情報上に配置する。操作領域重畳手段は、操作領域を、画像情報の表示サイズに応じたサイズに変更して、画像情報に重畳する。
【図面の簡単な説明】
【０００６】
【図１】図１は、実施形態に係る注文受付処理装置の全体構成の一例を概略的に示す図である。
【図２】図２は、実施形態に係るオーダ端末の電気的接続の一例を示すブロック図である。
【図３】図３は、実施形態に係るオーダステーションの電気的接続の一例を示すブロック図である。
【図４】図４は、オーダ端末の表示部に表示されるＧＵＩの一例を示す図である。
【図５】図５は、注文受付処理装置における注文データの送信処理の流れを示すフローチャートである。
【図６】図６は、オーダ端末がＧＵＩ作成機能を実行するときの機能構成を示すブロック図である。
【図７】図７は、タッチ枠の設定方法について説明する図であり、図７（ａ）はメニュー選択画面が有するレイアウト情報について説明する図である。図７（ｂ）は基準操作領域を配置した一例を示す図である。図７（ｃ）はタッチ枠を設定した一例を示す図である。
【図８】図８は、操作者の操作に応じたタッチ枠の設定方法について説明する図であり、図８（ａ）は基準操作領域を配置する操作の一例を示す図である。図８（ｂ）は基準操作領域を移動させる操作の一例を示す図である。図８（ｃ）は基準操作領域のサイズを変更してタッチ枠を設定する操作の一例を示す図である。
【図９】図９は、タッチ枠の設定方法の別の例を示す図である。
【図１０】図１０は、名称枠の設定方法について説明する図であり、図１０（ａ）は名称枠を初期位置に設定する操作の一例を示す図である。図１０（ｂ）は名称枠を移動させる操作の一例を示す図である。
【図１１】図１１は、ｉボタンの設定方法について説明する図であり、図１１（ａ）はｉボタンを初期位置に設定する操作の一例を示す図である。図１１（ｂ）はｉボタンを移動させる操作の一例を示す図である。
【図１２】図１２は、ｉボタンを操作したときにポップアップする画面構成の一例を示す図である。
【図１３】図１３は、ｉボタンを操作してポップアップした画面のページ送り操作について説明する図であり、図１３（ａ）は、１ページ目の画面を表示した状態を示す図である。図１３（ｂ）は、２ページ目の画面を表示した状態を示す図である。図１３（ｃ）は、３ページ目の画面を表示した状態を示す図である。図１３（ｄ）は、４ページ目の画面を表示した状態を示す図である。図１３（ｅ）は、５ページ目の画面を表示した状態を示す図である。
【図１４】図１４は、タッチ枠と、名称枠と、ｉボタンと、を設定したときに生成される割付情報について説明する図である。
【図１５】図１５は、設定した枠（ボタン）の位置が重複したときに優先順位を割り当てる方法について説明する図であり、図１５（ａ）は、異なる種類の枠が重複したときの優先順位の設定方法を示す図である。図１５（ｂ）は、同じ種類の枠が重複したときの優先順位の設定方法を示す図である。
【図１６】図１６は、ＧＵＩの作成処理の流れを示すフローチャートである。
【発明を実施するための形態】
【０００７】
（実施形態のハードウェア構成の説明）
以下、図面を参照して、実施形態に係る注文受付処理装置について説明する。図１は、注文受付処理装置１００の全体構成の一例を概略的に示す図である。注文受付処理装置１００は、例えば、居酒屋等の店舗に導入されて、顧客による商品の注文を管理するシステムである。
【０００８】
注文受付処理装置１００は、図１に示すように、顧客がメニュー品目を選択して注文を行う、情報入力装置の一例であるオーダ端末１０２（１０２ａ、１０２ｂ、…）と、キッチンに設置されるキッチンプリンタ１０３と、チェックアウトカウンタに設置されるＰＯＳ（Point  Of  Sale）端末１０４と、ホールに設置されるカスタマチェックプリンタ１０５と、店舗のバックヤード等に設置されて注文受付処理装置１００の全体の動作を制御するサーバとしてのオーダステーション１０６と、を有している。
【０００９】
オーダステーション１０６は、オーダ端末１０２から注文データを受信する。ここで、注文データは、メニュー品目（商品またはサービスの一例）を注文したテーブルを特定可能とするテーブルコードと、注文されたメニュー品目と、当該メニュー品目の数量と、を含む注文されたメニュー品目に関する情報を有する。オーダステーション１０６は、オーダ端末１０２から注文データを受信すると、当該注文データを、キッチンプリンタ１０３と、ＰＯＳ端末１０４と、カスタマチェックプリンタ１０５と、へ送信する。
【００１０】
キッチンプリンタ１０３およびカスタマチェックプリンタ１０５は、オーダステーション１０６から受信した注文データに応じた内容の伝票を印字して発行する。キッチンプリンタ１０３は、注文されたメニュー品目をキッチンで働く調理人に指示するための伝票を発行する。一方、カスタマチェックプリンタ１０５は、注文されたメニュー品目を給仕した後に顧客に渡す伝票を発行する。
【００１１】
ＰＯＳ端末１０４は、硬貨および紙幣を出し入れ自在に収納するドロワ１１８の上に設置される。そして、ＰＯＳ端末１０４は、顧客との間で、オーダステーション１０６から受信した注文データに基づく会計処理等を実行する。ＰＯＳ端末１０４は、オペレータ用の表示器１１９ａと、顧客用の表示器１１９ｂと、キーボード等を含む入力装置１２０と、レシートプリンタ１２１と、を有している。
【００１２】
オーダ端末１０２（１０２ａ、１０２ｂ、…）は、店舗のテーブル毎に設置される。各オーダ端末１０２（１０２ａ、１０２ｂ、…）は、ホールの天井等に設置された無線中継器１０７を介して、オーダステーション１０６等の外部装置と無線通信を行う。例えば、オーダ端末１０２ａは、顧客が選択したメニュー品目の注文データを、無線通信によって、オーダステーション１０６に送信する。また、オーダ端末１０２ａと、キッチンプリンタ１０３と、ＰＯＳ端末１０４と、カスタマチェックプリンタ１０５と、はＬＡＮ１２２（Local  Area  Network）を介して、オーダステーション１０６と通信可能に接続されている。
【００１３】
各オーダ端末１０２（１０２ａ、１０２ｂ、…）は、板状のハウジング１０９を有する。そして、ハウジング１０９の一方の面側には、ＬＣＤ（Liquid  Crystal  Display）等により構成されて、各種情報を表示可能な表示部１１１が設けられている。表示部１１１は、画像表示手段の一例である。また、オーダ端末１０２には、表示部１１１の表示画面上に設けられて、当該表示画面に表示されたメニュー品目の中から注文するメニュー品目の選択等を指示可能なＧＵＩ（Graphic  User  Interface）等に対するタッチ操作を検出するタッチパネル１１０が設けられている。オーダ端末１０２は、タッチパネル１１０によって検出したタッチ操作によって選択されたメニュー品目に対する注文データを生成する。なお、各オーダ端末１０２は、店舗のテーブルに据え付けた状態で設置してもよいし、テーブルの上に載置した状態としてもよい。
【００１４】
タッチパネル１１０は、表示部１１１の表示画面に表示されたＧＵＩに対するタッチ操作を検出する。そして、タッチパネル１１０は、ＧＵＩに対するタッチ操作の検出結果を、後述するタッチパネルコントローラ２０６（図２参照）を介して、後述するＣＰＵ２０２（図２参照）に出力する。タッチパネル１１０に表示されるＧＵＩについて、詳しくは後述する。
【００１５】
図２は、本実施形態に係るオーダ端末１０２ａの電気的接続の一例を示すブロック図である。図２に示すように、オーダ端末１０２ａは、当該オーダ端末１０２ａの全体を制御するマイクロコンピュータ２０１を備える。マイクロコンピュータ２０１は、オーダ端末１０２ａの制御部として機能するＣＰＵ（Central  Processing  Unit）２０２と、制御プログラム等の各種情報を記憶するＲＯＭ（Read  Only  Memory）２０４と、各種データを書き換え可能に記憶して、ＣＰＵ２０２のワークエリア等として機能するＲＡＭ（Random  Access  Memory）２０５と、データを書き換え可能に記憶する不揮発性メモリ２１５と、を有する。不揮発性メモリ２１５は、表示部１１１に表示する各種画面の画像データ、および後述するレイアウト情報Ｊ（図７（ａ）参照）等のコンテンツデータ２１５ａと、オーダ端末１０２ａが実行するプログラム２１５ｂと、基本ＯＳ（Operating  System）２１５ｃと、メニュー品目を一意に特定する図示しないメニューコード等を記憶する。
【００１６】
プログラム２１５ｂは、オーダ端末１０２ａを用いて注文品目を選択して注文を行うときに実行する注文選択指示プログラムＰ１と、オーダ端末１０２ａに表示するＧＵＩを作成するときに実行するＧＵＩ作成プログラムＰ２と、を備える。
【００１７】
また、マイクロコンピュータ２０１には、バスライン２０３を介して、タッチパネルコントローラ２０６と、表示コントローラ２０７と、無線通信Ｉ／Ｆ（Interface）２０９と、が接続されている。また、無線通信Ｉ／Ｆ２０９には無線部２１０が接続されている。
【００１８】
タッチパネルコントローラ２０６は、タッチパネル１１０から入力された入力信号をマイクロコンピュータ２０１に出力する。表示コントローラ２０７は、マイクロコンピュータ２０１から入力された画像データに基づいて、表示部１１１に対して画像を表示する。
【００１９】
無線通信Ｉ／Ｆ２０９は、無線部２１０を制御する。無線部２１０は、アンテナ２１１を介して、無線中継器１０７（図１）との間で無線通信を実行する。具体的には、無線部２１０は、無線中継器１０７との間で無線通信を実行することによって、オーダステーション１０６に対して注文データ等を送信する。なお、全てのオーダ端末１０２は、図２に示したのと同じ構成を有する。
【００２０】
図３は、本実施形態に係るオーダステーション１０６の電気的接続の一例を示すブロック図である。図３に示すように、オーダステーション１０６は、当該オーダステーション１０６全体を制御するマイクロコンピュータ３０１を備える。マイクロコンピュータ３０１は、オーダステーション１０６の各部を制御するＣＰＵ３０２と、制御プログラム等の各種情報を記憶するＲＯＭ３０４と、各種データを書き換え可能に記憶し、ＣＰＵ３０２のワークエリアとして機能するＲＡＭ３０５と、を有する。
【００２１】
また、マイクロコンピュータ３０１には、バスライン３０３を介して、表示／キーボードコントローラ３０６と、ＨＤＤ（Hard  Disk  Drive）３０７と、通信Ｉ／Ｆ３０８と、が接続されている。表示／キーボードコントローラ３０６は、マイクロコンピュータ３０１から入力された画像データに基づいて、ＬＣＤ等で構成された表示部１１６に画像を表示する。また、表示／キーボードコントローラ３０６は、キーボード１１７から入力された情報をマイクロコンピュータ３０１に出力する。
【００２２】
通信Ｉ／Ｆ３０８には、ＬＡＮ１２２を介して、いずれも前述した、キッチンプリンタ１０３と、ＰＯＳ端末１０４と、カスタマチェックプリンタ１０５と、無線中継器１０７と、が接続されている。オーダステーション１０６は、通信Ｉ／Ｆ３０８を介して、これらの機器との間で各種情報を送受信する。ＨＤＤ３０７は、オーダ端末１０２から受信した注文データ等の各種情報を記憶する。
【００２３】
（オーダ端末に表示されるＧＵＩの説明）
次に、図４を用いて、オーダ端末１０２の表示部１１１に表示されるＧＵＩの一例について説明する。図４は、本実施形態に係るオーダ端末１０２の表示部１１１に表示されるメニュー選択画面のＧＵＩの一例を示す図である。図４に示すように、オーダ端末１０２のＣＰＵ２０２（図２）は、メニュー表示Ａ２０を含むメニュー選択画面Ｇ１を表示部１１１に表示する。メニュー表示Ａ２０は、メニュー品目の写真画像Ａ２０ａと、メニュー品目の名称および価格、および必要に応じてカロリー数等の付帯情報を表示する、情報表示領域である名称枠Ａ２０ｂと、タッチ枠Ａ２０ｃと、を含む。また、一部のメニュー表示Ａ２０は、メニュー品目の詳細情報をポップアップ表示させるｉボタンＡ３０を含む。
【００２４】
写真画像Ａ２０ａは、メニュー品目毎に異なる表示サイズを有する。すなわち、特定のメニュー品目を示す写真画像Ａ２０ａは、他のメニュー品目に対して、より大きい表示サイズで表示する。特定のメニュー品目とは、店舗が独自に決定したものであり、売上が多いメニュー品目、特価販売をしているメニュー品目、おすすめのメニュー品目等が該当する。また、写真画像Ａ２０ａは、メニュー選択画面Ｇ１の自由な位置に配置される。このように、メニュー品目のメニュー表示Ａ２０を、オーダ端末１０２の表示部１１１に自由な表示サイズで自由な位置に配置することを、フリーレイアウト方式と呼ぶ。居酒屋や飲食店等では、一般にメニュー品目の画像が自由に配置されたメニューブックを備えている。図４に示した写真画像Ａ２０ａは、メニューブック等に表示された画像を編集して、オーダ端末１０２に表示したものである。詳しくは後述するが、各写真画像Ａ２０ａは、表示部１１１のどの位置に表示されていて、どのメニュー品目に対応する画像であるかの情報（レイアウト情報Ｊ（図７（ａ）参照）を自ら有している。例えば、図４の写真画像Ａ２０ａは、メニューＢの画像であるという情報を自ら有している。
【００２５】
さらに、メニュー選択画面Ｇ１は、図４に示すように、カテゴリー選択ボタンＡ１０と、会計ボタンＡ１２と、注文履歴ボタンＡ１３と、注文送信ボタンＡ１５と、を備える。カテゴリー選択ボタンＡ１０は、オーダ端末１０２に対して、メニュー品目をカテゴリー毎に表示する指示を与えるボタンである。図４のメニュー選択画面Ｇ１は、おすすめカテゴリーが選択された状態を示す。会計ボタンＡ１２は、ＰＯＳ端末１０４に対して、顧客が飲食等を終えた際に、注文したメニュー品目の会計を指示するためのボタンである。注文履歴ボタンＡ１３は、オーダ端末１０２に対して、メニュー品目の注文履歴の表示を指示するためのボタンである。注文送信ボタンＡ１５は、オーダ端末１０２に対して、オーダステーション１０６に対する注文データの送信を指示するためのボタンである。
【００２６】
顧客が所望のメニュー品目を注文するために、写真画像Ａ２０ａには、メニュー品目を表す領域に重畳された操作領域であるタッチ枠Ａ２０ｃが割り付けられている。タッチ枠Ａ２０ｃは、不可視であって、写真画像Ａ２０ａの形状と、表示サイズと、に応じた領域を有している。顧客がタッチ枠Ａ２０ｃを押下すると、タッチパネル１１０は、タッチ枠Ａ２０ｃが押下されたことを検出して、タッチ枠Ａ２０ｃが重畳された写真画像Ａ２０ａに対応するメニュー品目が選択されたと認識する。したがって、顧客は、写真画像Ａ２０ａに対応するメニュー品目を直感的に選択することができる。なお、名称枠Ａ２０ｂも同様に、タッチ操作の検出機能を有して、当該名称枠Ａ２０ｂに対応するメニュー品目を選択指示する機能を備えている。したがって、顧客は、写真画像Ａ２０ａの他に、名称枠Ａ２０ｂをタッチすることによっても、該当するメニュー品目を選択することができる。
【００２７】
なお、オーダ端末１０２は、名称枠Ａ２０ｂと、タッチ枠Ａ２０ｃと、に該当するメニュー品目が注文不可であるときには、メニュー品目を選択する機能を解除するとともに、該当するメニュー品目が注文できない旨を報知してもよい。すなわち、メニュー品目が品切れであるときには、名称枠Ａ２０ｂの中に「品切れ」の表示を行うとともに、タッチ枠Ａ２０ｃにグレーのハッチングをかけて、メニュー品目が選択できないことを明示してもよい。また、ラストオーダーの時間を過ぎる等してオーダーロックがかかっているときには、タッチ枠Ａ２０ｃにグレーのハッチングをかけて、メニュー品目が選択できないことを明示してもよい。
【００２８】
ＧＵＩの作成、すなわち、写真画像Ａ２０ａに対する名称枠Ａ２０ｂおよびタッチ枠Ａ２０ｃの割り付けと、ｉボタンＡ３０の割り付けと、は情報入力装置であるオーダ端末１０２を用いて、ＧＵＩ作成プログラムＰ２（図２）を実行することによって行う。ＧＵＩの作成は、いずれか１台のオーダ端末１０２（例えばオーダ端末１０２ａ）で行えばよい。そして、作成したＧＵＩに関する情報は、無線中継器１０７を介してオーダステーション１０６に送信されて、オーダステーション１０６から再び無線中継器１０７を介して、他のオーダ端末１０２に配信される。これによって、全てのオーダ端末１０２で、作成されたＧＵＩを共有することができる。
【００２９】
なお、前記したＧＵＩの作成は、サーバであるオーダステーション１０６で行ってもよい。あるいは、ＬＡＮ１２２に接続された、図１に不図示のパソコンで行ってもよい。このときは、作成されたＧＵＩは、無線中継器１０７を介して、全てのオーダ端末１０２に配信されて、全てのオーダ端末１０２でＧＵＩが共有される。なお、以降の説明は、ＧＵＩはオーダ端末１０２ａで作成するものとして行う。
【００３０】
（注文受付処理装置の動作の説明）
次に、図５を用いて、注文受付処理装置１００が行う注文データの送信処理の流れについて説明する。図５は、注文受付処理装置１００における注文データの送信処理の流れを示すフローチャートである。
【００３１】
まず、オーダ端末１０２のＣＰＵ２０２（図２）は、注文選択指示プログラムＰ１を実行することによって、メニュー選択画面Ｇ１を表示部１１１に表示する（ステップＳ１０）。
【００３２】
ＣＰＵ２０２は、オーダ端末１０２のタッチパネル１１０の押下位置を検出する（ステップＳ１２）。ＣＰＵ２０２は、タッチパネル１１０の押下位置に応じた処理を行う。すなわち、タッチ枠Ａ２０ｃまたは名称枠Ａ２０ｂに対するタッチ操作が検出されたときはステップＳ１４に進む。また、ｉボタンＡ３０に対するタッチ操作が検出されたときはステップＳ２０に進む。さらに、会計ボタンＡ１２に対するタッチ操作が検出されたときはステップＳ２４に進む。そして、注文履歴ボタンＡ１３に対するタッチ操作が検出されたときはステップＳ２６に進む。
【００３３】
ステップＳ１２において、タッチ枠Ａ２０ｃまたは名称枠Ａ２０ｂに対するタッチ操作が検出されたときは、ＣＰＵ２０２は、タッチされたタッチ枠Ａ２０ｃまたは名称枠Ａ２０ｂに対応するメニュー品目をＲＡＭ２０５に登録する（ステップＳ１４）。このとき、タッチされたタッチ枠Ａ２０ｃまたは名称枠Ａ２０ｂに対応するメニュー品目を識別可能とするメニューコード等の情報が注文データとしてＲＡＭ２０５に保存される。
【００３４】
次に、ＣＰＵ２０２は、タッチパネル１１０によって、メニュー選択画面Ｇ１が含む注文送信ボタンＡ１５に対するタッチ操作が検出されて、注文データの送信が指示されたかを判断する（ステップＳ１６）。ＣＰＵ２０２は、注文データの送信が指示されたことを条件に（ステップＳ１６：Ｙｅｓ）ステップＳ１８に進む。また、ＣＰＵ２０２は、注文データの送信が指示されない場合（ステップＳ１６：Ｎｏ）、ステップＳ１２に戻り、新たなメニュー品目の選択、もしくはそれ以外の操作指示を待つ。
【００３５】
ステップＳ１８において、ＣＰＵ２０２は、ＲＡＭ２０５に記憶された注文データを、オーダステーション１０６に送信する。その後、ステップＳ１０に戻ってメニュー選択画面Ｇ１を表示する。
【００３６】
また、ステップＳ１２において、ｉボタンＡ３０に対するタッチ操作が検出されたことを条件に、ＣＰＵ２０２は、タッチされたｉボタンＡ３０に関連付けられたメニュー品目の詳細情報を不揮発性メモリ２１５（図２）から読み出して、オーダ端末１０２の表示部１１１にポップアップ表示する（ステップＳ２０）。
【００３７】
ＣＰＵ２０２は、表示した詳細情報を閉じる指示があるかを判断する（ステップＳ２２）。ＣＰＵ２０２は、詳細情報を閉じる指示があることを条件に（ステップＳ２２：Ｙｅｓ）、ステップＳ１０に戻ってメニュー選択画面Ｇ１を表示する。また、ＣＰＵ２０２は、詳細情報を閉じる指示がない場合（ステップＳ２２：Ｎｏ）、ステップＳ２２を繰り返す。なお、図５には図示しないが、詳細情報を閉じる指示がない場合（ステップＳ２２：Ｎｏ）は、ＣＰＵ２０２は、詳細情報に対する顧客の操作指示を受けて詳細情報のページ送り等を行う。なお、詳細情報を閉じる指示、および詳細情報のページ送りについては後述する。
【００３８】
また、ステップＳ１２において、会計ボタンＡ１２に対するタッチ操作が検出されたことを条件に、ＣＰＵ２０２は、オーダ端末１０２の表示部１１１に、注文したメニュー品目の会計を指示するための会計画面を表示する（ステップＳ２４）。会計画面の図示は行わないが、会計画面は、注文されたメニュー品目の名称などのメニュー品目を識別可能とする情報と、注文されたメニュー品目の単価情報や合計金額情報等の金額情報と、を含む。会計の指示が行われると、図５の処理を終了する。
【００３９】
また、ステップＳ１２において、注文履歴ボタンＡ１３に対するタッチ操作が検出されたことを条件に、ＣＰＵ２０２は、オーダ端末１０２の表示部１１１に、注文履歴画面を表示する（ステップＳ２６）。注文履歴画面の図示は行わないが、注文履歴画面は、図４に示す会計ボタンＡ１２と、注文履歴ボタンＡ１３と、注文送信ボタンＡ１５と、の他に、注文履歴と、追加注文選択表示と、単価情報と、合計金額と、の情報を含む。
【００４０】
ＣＰＵ２０２は、注文履歴画面を表示した後、タッチパネル１１０によって追加注文選択表示に対するタッチ操作が検出されて、注文済みメニューの追加の注文数が入力されたかを判断する（ステップＳ２８）。注文済みメニューの追加の注文数が入力されたとき（ステップＳ２８：Ｙｅｓ）は、ステップＳ３０に進み、それ以外のとき（ステップＳ２８：Ｎｏ）は、ステップＳ１０に戻ってメニュー選択画面Ｇ１を表示する。
【００４１】
ＣＰＵ２０２は、追加の注文数が入力された注文済みメニューに関する注文データを生成する。そして、ＣＰＵ２０２は、生成した注文データをＲＡＭ２０５に登録する（ステップＳ３０）。
【００４２】
次に、ＣＰＵ２０２は、注文履歴画面において、追加の注文数が入力された注文データの送信が指示されたかを判断する（ステップＳ３２）。注文データの送信が指示されたとき（ステップＳ３２：Ｙｅｓ）は、ステップＳ１８に進み、それ以外のとき（ステップＳ３２：Ｎｏ）は、ステップＳ２８に戻り、更なる追加注文の選択を待つ。
【００４３】
（ＧＵＩ作成機能の説明）
情報入力装置の一例であるオーダ端末１０２が有するＧＵＩ作成機能について、図６を用いて説明する。図６は、オーダ端末１０２がＧＵＩ作成機能を実行するときの機能構成を示すブロック図である。オーダ端末１０２（ＣＰＵ２０２）は、ＧＵＩ作成プログラムＰ２を実行することによって、図６に示した各機能を、ＲＡＭ２０５の内部に実行可能な形式で展開する。
【００４４】
図６に示すように、オーダ端末１０２ａ（ＣＰＵ２０２）は、操作領域設定手段４００と、操作領域重畳手段４１０と、情報表示領域設定手段４２０と、ｉボタン設定手段４３０と、優先順位設定手段４４０と、を備える。
【００４５】
操作領域設定手段４００は、画像表示手段である表示部１１１（図２）に表示された画像情報の一例である写真画像Ａ２０ａ（図４）に応じた位置にタッチすることによって、写真画像Ａ２０ａに対応するメニュー品目の選択を指示する操作領域（タッチ枠Ａ２０ｃ（図４））を設定する。操作領域設定手段４００は、メニュー品目関連付け手段４０２と、操作領域配置手段４０４と、を備える。
【００４６】
メニュー品目関連付け手段４０２は、どのメニュー品目に対する操作領域を設定するかを指定する。
【００４７】
操作領域配置手段４０４は、所定のサイズおよび所定の形状を有して、指定されたメニュー品目と関連付いた基準操作領域Ａ５２（図７（ｂ）参照）を、写真画像Ａ２０ａ（画像情報）に応じた位置に設定する。写真画像Ａ２０ａに応じた位置は、例えば、写真画像Ａ２０ａの左上等とする。
【００４８】
操作領域重畳手段４１０は、写真画像Ａ２０ａに配置された基準操作領域Ａ５２を、写真画像Ａ２０ａの表示位置と、表示サイズと、表示形状と、に応じた形状に変更して、写真画像Ａ２０ａに重畳する。操作領域重畳手段４１０は、操作領域サイズ変更手段４１２と、操作領域整列手段４１４と、を備える。
【００４９】
操作領域サイズ変更手段４１２は、基準操作領域Ａ５２のサイズを、写真画像Ａ２０ａに外接する状態になるように変更して、タッチ枠Ａ２０ｃとして設定する。
【００５０】
操作領域整列手段４１４は、写真画像Ａ２０ａの表示サイズと、表示形状と、に応じて、複数の基準操作領域（Ａ９０〜Ａ９７）（図９参照）を、写真画像Ａ２０ａと重複する状態になるように整列させて、タッチ枠Ａ２０ｃとして設定する。
【００５１】
情報表示領域設定手段４２０は、写真画像Ａ２０ａに応じた位置に、写真画像Ａ２０ａと対応するメニュー品目と関連付いた情報（例えば、メニュー品目の名称、価格等）を表示するとともに、タッチ入力を検出することによってメニュー品目の選択を指示する名称枠Ａ２０ｂ（情報表示領域）（図４）を設定する。情報表示領域設定手段４２０は、メニュー品目関連付け手段４２２と、情報表示領域配置手段４２４と、を備える。
【００５２】
メニュー品目関連付け手段４２２は、どのメニュー品目に対する情報表示領域を設定するかを指定する。
【００５３】
情報表示領域配置手段４２４は、所定のサイズおよび所定の形状を有して、指定されたメニュー品目と関連付いた名称枠Ａ６０（図１０（ａ）参照）を、写真画像Ａ２０ａの近傍に配置する。情報表示領域配置手段４２４は、さらに、配置した名称枠Ａ６０を写真画像Ａ２０ａに応じた位置に移動させて、名称枠Ａ２０ｂとして設定する。
【００５４】
ｉボタン設定手段４３０は、写真画像Ａ２０ａに応じた位置に、写真画像Ａ２０ａと対応するメニュー品目の詳細情報をポップアップさせるｉボタンＡ３０（図４）を設定する。ｉボタン設定手段４３０は、メニュー品目関連付け手段４３２と、ｉボタン配置手段４３４と、を備える。
【００５５】
メニュー品目関連付け手段４３２は、どのメニュー品目に対するｉボタンＡ３０を設定するかを指定する。
【００５６】
ｉボタン配置手段４３４は、指定されたメニュー品目と関連付いた基準ｉボタンＡ７０（図１１（ａ）参照）を、写真画像Ａ２０ａの近傍に配置する。ｉボタン配置手段４３４は、さらに、配置した基準ｉボタンＡ７０を写真画像Ａ２０ａに応じた位置に移動させて、ｉボタンＡ３０として設定する。
【００５７】
優先順位設定手段４４０は、設定した複数の枠（ボタン）、すなわち複数のタッチ枠Ａ２０ｃ、名称枠Ａ２０ｂ、ｉボタンＡ３０が互いに重複したときに、重複した領域に優先順位を割り当てる。詳しくは後述する。
【００５８】
（タッチ枠の設定方法の説明）
次に、オーダ端末１０２ａの表示部１１１に表示するＧＵＩの作成方法について、図４に示したメニュー表示Ａ２０を作成するケースを例にあげて説明する。図７は、タッチ枠Ａ２０ｃの設定方法について説明する図であり、図７（ａ）はメニュー選択画面が有するレイアウト情報について説明する図である。図７（ｂ）は基準操作領域を配置した一例を示す図である。図７（ｃ）はタッチ枠を設定した一例を示す図である。
【００５９】
ＧＵＩの作成は、オーダ端末１０２ａにおいて、ＧＵＩ作成プログラムＰ２（図２）を実行することによって行う。ＧＵＩ作成プログラムＰ２を実行すると、オーダ端末１０２ａのＣＰＵ２０２（図２）は、まず、オーダ端末１０２ａの表示部１１１に表示された写真画像Ａ２０ａのレイアウトが記憶されたレイアウト情報Ｊを不揮発性メモリ２１５のコンテンツデータ２１５ａから読み出す。図７（ａ）はレイアウト情報Ｊの一例である。
【００６０】
レイアウト情報Ｊは、表示部１１１に表示された各写真画像Ａ２０ａが占有する領域の位置、形状と、各写真画像Ａ２０ａが示すメニュー品目の情報と、を有する。例えば、図７（ａ）に示す領域Ｊｂは、領域Ｊｂが配置されている領域を示す座標データ、および領域ＪｂがメニューＢに対応している旨の情報を有している。レイアウト情報Ｊは、図７（ａ）に示す画像情報であってもよいし、あるいは、前記した各情報がテキストデータとして記憶された文書データであってもよい。なお、レイアウト情報Ｊは、店舗等の担当者が表示部１１１に表示する写真画像Ａ２０ａを編集した際に生成されて、不揮発性メモリ２１５に記憶される。
【００６１】
次に、ＣＰＵ２０２は、オーダ端末１０２ａの表示部１１１に、タッチ枠Ａ２０ｃの設定、名称枠Ａ２０ｂの設定、ｉボタンＡ３０の設定のいずれを実行するかを選択する画面（不図示）を表示する。そして、タッチ枠Ａ２０ｃの設定が選択されると、ＣＰＵ２０２は、表示部１１１に、図７（ｂ）に示すタッチ枠設定画面Ｇ２を表示する。
【００６２】
図７（ｂ）に示すように、タッチ枠設定画面Ｇ２は、写真画像表示ウインドゥＡ８０と、メニュー品目表示ウインドゥＢ１０と、を含む。
【００６３】
写真画像表示ウインドゥＡ８０は、タッチ枠Ａ２０ｃを設定する対象となる写真画像Ａ２０ａが表示されるウインドゥである。写真画像表示ウインドゥＡ８０は、ウインドゥを上下にスクロールするスクロールボタンＡ４０ａ、Ａ４０ｂおよびスクロールバーＡ４２ａ、ならびにウインドゥを左右にスクロールするスクロールボタンＡ４０ｃ、Ａ４０ｄおよびスクロールバーＡ４２ｂを備えている。スクロールボタンＡ４０ａ、Ａ４０ｂおよびスクロールバーＡ４２ａ、ならびにスクロールボタンＡ４０ｃ、Ａ４０ｄおよびスクロールバーＡ４２ｂは、それぞれタッチ操作によって、写真画像表示ウインドゥＡ８０の表示範囲を上下左右にスクロールする。また、写真画像表示ウインドゥＡ８０は、設定したタッチ枠Ａ２０ｃを確定するタッチ枠確定ボタンＡ４４を含む。タッチ枠確定ボタンＡ４４の機能については後述する。
【００６４】
メニュー品目表示ウインドゥＢ１０は、メニュー品目の一覧がリスト表示されるウインドゥである。メニュー品目表示ウインドゥＢ１０は、ウインドゥを上下にスクロールするスクロールボタンＢ１２ａ、Ｂ１２ｂおよびスクロールバーＢ１２ｃを備えている。スクロールボタンＢ１２ａ、Ｂ１２ｂおよびスクロールバーＢ１２ｃは、それぞれタッチ操作によって、メニュー品目表示ウインドゥＢ１０の表示範囲を上下にスクロールする。
【００６５】
ここで、一例として、写真画像表示ウインドゥＡ８０に表示された、メニューＢを表す写真画像Ａ２０ａに対して、タッチ枠Ａ２０ｃを設定する方法を説明する。
【００６６】
操作者は、まず、メニュー品目表示ウインドゥＢ１０にリスト表示されたメニュー品目をスクロールさせて、タッチ枠Ａ２０ｃと関連付けるメニュー品目を選択（タッチ）する。ここでは、写真画像Ａ２０ａが「メニューＢ」を表しているものとして、写真画像Ａ２０ａに対して、「メニューＢ」に関連付いたタッチ枠Ａ２０ｃを設定するものとする。メニュー品目関連付け手段４０２（図６）は、メニュー品目表示ウインドゥＢ１０に表示された「メニューＢ」がタッチされたことを検出して、メニューＢに対するタッチ枠Ａ２０ｃ（操作領域）を設定するものと認識する。
【００６７】
操作領域配置手段４０４は、メニューＢを表す写真画像Ａ２０ａの所定の位置、例えば写真画像Ａ２０ａの左上部に外接する位置に、予め設定された所定のサイズおよび所定の形状を有する基準操作領域Ａ５２を配置する。なお、写真画像Ａ２０ａの左上部に外接する位置は、操作領域配置手段４０４が、前述したレイアウト情報Ｊに基づいて決定する。なお、写真画像表示ウインドゥＡ８０の中にメニューＢを表す写真画像Ａ２０ａが複数存在する場合もあるため、操作領域配置手段４０４は、操作者がタッチ枠Ａ２０ｃを設定したい写真画像Ａ２０ａにタッチしたことを検出した後で、基準操作領域Ａ５２を配置するようにしてもよい。
【００６８】
次に、操作領域サイズ変更手段４１２は、基準操作領域Ａ５２のサイズを、レイアウト情報Ｊに基づいて、メニューＢを表す写真画像Ａ２０ａに対して、例えば外接するように変更して基準操作領域Ａ５４とする。そして、操作領域サイズ変更手段４１２は、タッチ枠確定ボタンＡ４４が押下されたことを条件として、基準操作領域Ａ５４を「メニューＢ」に対するタッチ枠Ａ２０ｃとして設定する。なお、設定されたタッチ枠Ａ２０は、図７（ｃ）の状態では可視化できるが、実際の使用時には不可視状態となる。
【００６９】
（操作者の指示に応じたタッチ枠の設定方法の説明）
なお、タッチ枠Ａ２０ｃの設定は、図８に示すように、操作者の指示に基づいて行ってもよい。図８は、タッチ枠Ａ２０ｃの別の設定方法について説明する図であり、図８（ａ）は基準操作領域である基準操作領域Ａ５０を配置する操作の一例を示す図である。図８（ｂ）は配置した基準操作領域Ａ５０の位置を移動させる操作の一例を示す図である。図８（ｃ）は移動させた基準操作領域Ａ５２のサイズを変更してタッチ枠Ａ２０ｃを設定する操作の一例を示す図である。
【００７０】
操作者が、「メニューＢ」の表示をタッチした指をそのまま写真画像表示ウインドゥＡ８０までドラッグすると、操作領域配置手段４０４（図６）が、写真画像表示ウインドゥＡ８０の中に「メニューＢ」と関連付いた基準操作領域Ａ５０を表示する。基準操作領域Ａ５０は、予め設定された所定のサイズおよび所定の形状を有する。基準操作領域Ａ５０は、操作者の指の位置に応じて表示位置を変更する。
【００７１】
操作者が、写真画像表示ウインドゥＡ８０の中で指を離すと、操作領域配置手段４０４（図６）が、写真画像表示ウインドゥＡ８０の中の、指を離した位置に、基準操作領域Ａ５０を配置する。このとき配置される基準操作領域Ａ５０の位置は、後の操作で変更できるため、厳密でなくてもよい。
【００７２】
次に、図８（ｂ）に示すように、操作領域配置手段４０４（図６）が、基準操作領域Ａ５０の配置位置の調整を行う。具体的には、操作者が、再び基準操作領域Ａ５０をタッチすることによって、基準操作領域Ａ５０を掴み、基準操作領域Ａ５０の左上の頂点Ｐａを、設定したいタッチ枠Ａ２０ｃの左上の頂点Ｐｂの位置までドラッグして、基準操作領域Ａ５２とする。
【００７３】
続いて、図８（ｃ）に示すように、操作領域サイズ変更手段４１２（図６）が、配置された基準操作領域Ａ５２のサイズを変更する。具体的には、操作者が、基準操作領域Ａ５２の右下の頂点Ｐｃを摘まんで、設定したいタッチ枠Ａ２０ｃの右下の頂点Ｐｄの位置までドラッグする。このとき、操作領域サイズ変更手段４１２は、基準操作領域Ａ５２の左上の頂点Ｐｂの位置を固定したまま、基準操作領域Ａ５２の横辺と縦辺の長さがそれぞれ変更された基準操作領域Ａ５４を生成する。操作者は、写真画像表示ウインドゥＡ８０に表示された基準操作領域Ａ５４が、写真画像Ａ２０ａの領域を覆ったことを確認して指を離す。そして、操作領域サイズ変更手段４１２は、タッチ枠確定ボタンＡ４４が押下されたことを条件として、基準操作領域Ａ５４を「メニューＢ」に対するタッチ枠Ａ２０ｃとして設定する。
【００７４】
（タッチ枠の別の設定方法の説明）
図７、図８を用いて、タッチ枠Ａ２０ｃの設定方法について説明したが、タッチ枠Ａ２０ｃの設定方法は、図７、図８に示した方法に限定されるものではない。図９は、タッチ枠Ａ２０ｃのさらに別の設定方法を示す図である。
【００７５】
図９に示すように、タッチ枠Ａ２０ｃを、複数の基準操作領域（Ａ９０〜Ａ９７）によって設定してもよい。すなわち、操作領域配置手段４０４（操作領域設定手段４００）が、メニュー品目関連付け手段４０２によってメニューＢと関連付けられた複数の基準操作領域（Ａ９０〜Ａ９７）を、写真画像Ａ２０ａに応じて配置する。そして、操作領域整列手段４１４（図６）が、配置された複数の基準操作領域（Ａ９０〜Ａ９７）を、写真画像Ａ２０ａの形状に応じて、隙間なく整列する。
【００７６】
操作領域整列手段４１４は、整列された複数の基準操作領域（Ａ９０〜Ａ９７）を、１つのタッチ枠Ａ２０ｃとして設定する。なお、操作領域整列手段４１４は、複数の基準操作領域（Ａ９０〜Ａ９７）を、前述したレイアウト情報Ｊに基づいて、写真画像Ａ２０ａの形状に応じて整列させてもよいし（写真画像Ａ２０ａに外接させる、内接させる等）、あるいは、操作者の指示に応じた位置に整列させてもよい。
【００７７】
なお、設定した基準操作領域Ａ５２のサイズを変更してタッチ枠Ａ２０ｃを設定する方法（図７、図８）と、複数の基準操作領域（Ａ９０〜Ａ９７）を整列させることによってタッチ枠Ａ２０ｃを設定する方法と、を併用することによって、タッチ枠Ａ２０ｃを設定してもよい。
【００７８】
（名称枠の設定方法の説明）
次に、名称枠Ａ２０ｂの設定方法について、図１０を用いて説明する。図１０は、名称枠Ａ２０ｂの設定方法について説明する図であり、図１０（ａ）は名称枠Ａ２０ｂの初期位置に名称枠Ａ６０を設定する操作の一例を示す図である。図１０（ｂ）は名称枠Ａ６０の位置を移動させる操作の一例を示す図である。
【００７９】
オーダ端末１０２ａにおいて、ＧＵＩ作成プログラムＰ２（図２）を実行して、さらに名称枠Ａ２０ｂの設定を選択すると、表示部１１１には、図１０（ａ）に示す名称枠設定画面Ｇ３が表示される。
【００８０】
図１０（ａ）に示すように、名称枠設定画面Ｇ３は、写真画像表示ウインドゥＡ８０と、メニュー品目表示ウインドゥＢ１０と、名称枠サイズ設定ウインドゥＢ１４と、を含む。
【００８１】
写真画像表示ウインドゥＡ８０と、メニュー品目表示ウインドゥＢ１０と、の機能は、それぞれ前述した通りであるが、写真画像表示ウインドゥＡ８０は、設定した名称枠Ａ２０ｂを確定する名称枠確定ボタンＡ４６を含む。名称枠確定ボタンＡ４６の機能については後述する。
【００８２】
名称枠サイズ設定ウインドゥＢ１４は、設定する名称枠Ａ２０ｂのサイズを設定するウインドゥである。設定することができる名称枠Ａ２０ｂのサイズは、大中小の３種類に決められており、名称枠Ａ２０ｂを設定するときに、名称枠サイズ設定ウインドゥＢ１４の中の選択ボタンＢ１６によって、所望のサイズを選択する。
【００８３】
図１０（ａ）において、操作者は、まず、メニュー品目表示ウインドゥＢ１０にリスト表示されたメニュー品目をスクロールさせて、設定する名称枠Ａ２０ｂと関連付けるメニュー品目を選択（タッチ）する。ここでは、写真画像Ａ２０ａが「メニューＢ」を表しているものとして、写真画像Ａ２０ａに対して、「メニューＢ」に関連付いた名称枠Ａ２０ｂを設定するものとする。メニュー品目関連付け手段４２２（図６）は、メニュー品目表示ウインドゥＢ１０に表示された「メニューＢ」がタッチされたことを検出して、メニューＢに対する名称枠Ａ２０ｂ（情報表示領域）を設定するものと認識する。
【００８４】
情報表示領域配置手段４２４(図６)は、操作者が、「メニューＢ」の表示をタッチした指をそのまま写真画像表示ウインドゥＡ８０までドラッグしたときに、写真画像表示ウインドゥＡ８０の中に「メニューＢ」と関連付いた名称枠Ａ６０を表示する。名称枠Ａ６０は、選択ボタンＢ１６によって選択されたサイズおよび所定の形状（矩形領域）を有する。名称枠Ａ６０は、操作者の指の位置に応じて表示位置を変更する。
【００８５】
操作者が、写真画像表示ウインドゥＡ８０の中で指を離すと、情報表示領域配置手段４２４の作用によって、写真画像表示ウインドゥＡ８０の中の、指を離した位置に名称枠Ａ６０が設定される。このとき設定される名称枠Ａ６０の位置は、後の操作で変更できるため、厳密でなくてもよい。
【００８６】
続いて、情報表示領域配置手段４２４の作用によって、図１０（ｂ）に示すように、名称枠Ａ６０の位置の調整を行う。具体的には、操作者は、再び名称枠Ａ６０をタッチすることによって名称枠Ａ６０を掴み、名称枠Ａ６０の左上の頂点Ｐｅを、設定したい名称枠Ａ２０ｂの左上の頂点Ｐｆの位置までドラッグして、名称枠Ａ６２とする。
【００８７】
操作者は、名称枠Ａ６２が所望の位置にあることを確認して指を離す。そして、情報表示領域配置手段４２４は、名称枠確定ボタンＡ４６が押下されたことを条件として、名称枠Ａ６２を「メニューＢ」に対する名称枠Ａ２０ｂとして設定する。
【００８８】
（ｉボタンの設定方法の説明）
次に、ｉボタンＡ３０の設定方法について、図１１を用いて説明する。図１１は、ｉボタンＡ３０の設定方法について説明する図であり、図１１（ａ）はｉボタンＡ３０の初期位置に基準ｉボタンＡ７０を設定する操作の一例を示す図である。図１１（ｂ）は基準ｉボタンＡ７０の位置を移動させる操作の一例を示す図である。
【００８９】
オーダ端末１０２ａにおいて、ＧＵＩ作成プログラムＰ２（図２）を実行して、さらにｉボタンＡ３０の設定を選択すると、表示部１１１には、図１１（ａ）に示すｉボタン設定画面Ｇ４が表示される。
【００９０】
図１１（ａ）に示すように、ｉボタン設定画面Ｇ４は、写真画像表示ウインドゥＡ８０と、メニュー品目表示ウインドゥＢ１０と、を含む。
【００９１】
写真画像表示ウインドゥＡ８０と、メニュー品目表示ウインドゥＢ１０と、の機能は、それぞれ前述した通りであるが、写真画像表示ウインドゥＡ８０は、設定したｉボタンＡ３０を確定するｉボタン確定ボタンＡ４８を含む。ｉボタン確定ボタンＡ４８の機能については後述する。また、メニュー品目表示ウインドゥＢ１０には、詳細情報を含むメニュー品目のみがリスト表示される。
【００９２】
図１１（ａ）において、操作者は、まず、メニュー品目表示ウインドゥＢ１０にリスト表示されたメニュー品目をスクロールさせて、設定するｉボタンＡ３０と関連付けるメニュー品目を選択（タッチ）する。ここでは、写真画像Ａ２０ａが「メニューＢ」を表しているものとして、写真画像Ａ２０ａに対して、「メニューＢ」に関連付いたｉボタンＡ３０を設定するものとする。メニュー品目関連付け手段４３２（図６）は、メニュー品目表示ウインドゥＢ１０に表示された「メニューＢ」がタッチされたことを検出して、メニューＢに対するｉボタンＡ３０を設定するものと認識する。
【００９３】
ｉボタン配置手段４３４(図６)は、操作者が、「メニューＢ」の表示をタッチした指をそのまま写真画像表示ウインドゥＡ８０までドラッグしたときに、写真画像表示ウインドゥＡ８０の中に「メニューＢ」と関連付いた基準ｉボタンＡ７０を表示する。基準ｉボタンＡ７０は、所定のサイズおよび所定の形状（円形領域）を有する。基準ｉボタンＡ７０は、操作者の指の位置に応じて表示位置を変更する。
【００９４】
操作者が、写真画像表示ウインドゥＡ８０の中で指を離すと、ｉボタン配置手段４３４の作用によって、写真画像表示ウインドゥＡ８０の中の、指を離した位置に、基準ｉボタンＡ７０が設定される。このとき設定される基準ｉボタンＡ７０の位置は、後の操作で変更できるため、厳密でなくてもよい。
【００９５】
続いて、ｉボタン配置手段４３４の作用によって、図１１（ｂ）に示すように、基準ｉボタンＡ７０の位置の調整を行う。具体的には、操作者は、再び基準ｉボタンＡ７０をタッチすることによって基準ｉボタンＡ７０を掴み、基準ｉボタンＡ７０を、ｉボタンＡ３０を設定したい位置までドラッグして、基準ｉボタンＡ７２とする。
【００９６】
操作者は、基準ｉボタンＡ７２が所望の位置にあることを確認して指を離す。そして、ｉボタン配置手段４３４は、ｉボタン確定ボタンＡ４８が押下されたことを条件として、基準ｉボタンＡ７２を「メニューＢ」に対するｉボタンＡ３０として設定する。
【００９７】
（ｉボタンによってポップアップする画面情報の設定方法の説明）
次に、ｉボタンＡ３０にタッチしたときにポップアップするメニュー品目の詳細情報の設定方法について、図１２を用いて説明する。図１２は、ｉボタンＡ３０にタッチしたときにポップアップする画面構成の一例を示す図である。
【００９８】
図１２に示すように、ｉボタンＡ３０にタッチしたときにポップアップするメニュー品目の詳細情報には、複数ページの画面Ｉ１、Ｉ２、Ｉ３、Ｉ４、Ｉ５が割り付けられている。図１１は、５ページが割り付けられている例である。各ページの画面Ｉ１、Ｉ２、Ｉ３、Ｉ４、Ｉ５は、それぞれ異なるサイズを有しており、各ページには、メニュー品目に対応する詳細情報、例えば、メニュー品目の栄養情報、産地情報等が記載されている。
【００９９】
（ｉボタンによってポップアップした画面のページ送り操作の説明）
図１３は、ｉボタンＡ３０を操作することによってポップアップした画面のページ送り操作について説明する図である。ポップアップした詳細情報は、ページ単位で閲覧することができる。図１３（ａ）は、１ページ目の画面Ｉ１を表示した状態を示す図である。図１３（ｂ）は、２ページ目の画面Ｉ２を表示した状態を示す図である。図１３（ｃ）は、３ページ目の画面Ｉ３を表示した状態を示す図である。図１３（ｄ）は、４ページ目の画面Ｉ４を表示した状態を示す図である。図１３（ｅ）は、５ページ目の画面Ｉ５を表示した状態を示す図である。
【０１００】
図１３には図示しないが、各ページは、ページ送りボタンと、ページ戻りボタンと、ポップアップした詳細情報を閉じるクローズボタンと、を備える。ページ送りボタンおよびページ戻りボタンにタッチすることによって、詳細情報のページ送りおよびページ戻りを行うことができる。また、クローズボタンにタッチすることによって、詳細情報を閉じて、ｉボタンＡ３０が押される前の画面に戻る。
【０１０１】
なお、詳細情報として、オーダ端末１０２の表示部１１１のサイズよりも広い面積を有するページを割り付けることもできる。このときは、表示部１１１に表示されたページを上下左右にスクロールして閲覧する。
【０１０２】
（各枠設定時に生成される割付情報の説明）
次に、前述したＧＵＩを作成したときに生成される、各枠（ボタン）に対する割付情報について説明する。図１４は、タッチ枠Ａ２０ｃと、名称枠Ａ２０ｂと、ｉボタンＡ３０と、を設定したときに、オーダ端末１０２ａが生成する割付情報について説明する図である。図１４に示すように、タッチ枠Ａ２０ｃと、名称枠Ａ２０ｂと、ｉボタンＡ３０と、にそれぞれ対応した割付情報が生成される。生成された割付情報は、それぞれ、オーダ端末１０２ａが不揮発性メモリ２１５（図２）から読み出したメニューコードと関連付けられる。
【０１０３】
図１４を用いて、各割付情報について説明する。ページコードＣ１は、表示部１１１に表示するメニュー選択画面Ｇ１（図４）のページ番号を一意に特定する番号である。枠コードＣ２は、同一ページ内に設定された枠を一意に特定する番号である。枠順序Ｃ３は、複数の異なる枠が重複して設定されたときに、重複した領域に対して優先順位を設定するために用いる情報である。なお、枠順序Ｃ３の使用方法については後述する。メニューコードＣ４は、各メニュー品目を一意に特定する番号である。枠タイプＣ５は、枠の種別（タッチ枠、名称枠、ｉボタン）を示す。座標Ｘは、枠の設定位置の左右方向位置を特定する座標である。座標Ｙは、枠の設定位置の上下方向位置を特定する座標である。幅ｐｘは、タッチ枠Ａ２０ｃの左右方向のサイズを示す。高さｐｙは、タッチ枠Ａ２０ｃの上下方向のサイズを示す。サイズＣ６は、名称枠Ａ２０ｂのサイズを示す。
【０１０４】
オーダ端末１０２ａで生成されたこれらの割付情報は、例えばＲＡＭ２０５（図２）に保存される。そして、各枠に対するタッチ操作が検出されたときに、注文受付処理装置１００は、割付情報の中のタッチされた枠に対応する情報を参照することによって、タッチされた枠に応じた処理（注文データの作成、指定された詳細情報のポップアップ）を行う。
【０１０５】
（重複したタッチ枠の優先順位についての説明）
複数の枠（ボタン）、すなわち複数のタッチ枠Ａ２０ｃ、名称枠Ａ２０ｂ、ｉボタンＡ３０を設定すると、互いの枠（ボタン）が重複して設定される場合がある。このようなときには、複数の枠（ボタン）が重複した領域にタッチしたときに、どのような応答を返すかを一意に決めておく必要がある。以下、枠（ボタン）の重複領域に対する優先順位の割り当て方について説明する。なお、以下に説明する優先順位の割り当ては、優先順位設定手段４４０（図６）が行う。
【０１０６】
図１５は、設定したボタンの位置が重複したときに優先順位を割り当てる方法について説明する図であり、図１５（ａ）は、異なる種類の枠（ボタン）が重複したときの優先順位の設定方法を示す図である。図１５（ｂ）は、同じ種類の枠（ボタン）が重複したときの優先順位の設定方法を示す図である。
【０１０７】
図１５（ａ）に示すように、異なる種類の枠（ボタン）が重複して設定されたときには、重複した領域に対して、ｉボタンＡ３０に最も高い優先度を与える。そして、名称枠Ａ２０ｂに２番目の優先度を与える。タッチ枠Ａ２０ｃの優先度は最も低く設定する。
【０１０８】
すなわち、図１５（ａ）に示すレイアウトで、タッチ枠Ａ２０ｃと、名称枠Ａ２０ｂと、ｉボタンＡ３０と、を設定したときに、ｉボタンＡ３０の領域にタッチすると、オーダ端末１０２は、ｉボタンＡ３０が選択されたものと認識する。また、名称枠Ａ２０ｂの領域にタッチすると、オーダ端末１０２は、名称枠Ａ２０ｂが選択されたものと認識する。さらに、タッチ枠Ａ２０ｃの領域にタッチすると、オーダ端末１０２は、タッチ枠Ａ２０ｃが選択されたものと認識する。
【０１０９】
これに対して、同じ種類の枠（ボタン）が重複して設定されたときには、図１５（ｂ）に示すように、各枠（ボタン）に対して、前述した枠順序Ｃ３（図１３参照）に基づく優先順位を与える。すなわち、図１５（ｂ）に示す例は、名称枠Ａ２０ｂ（枠順序１）と、名称枠Ａ２１ｂ（枠順序２）と、が一部重複して設定されたときに、重複領域Ａｘには、枠順序として付与された数値がより大きい名称枠Ａ２１ｂの機能が割り当てられることを示す。
【０１１０】
すなわち、図１５（ｂ）に示すレイアウトで、名称枠Ａ２０ｂと、名称枠Ａ２１ｂと、が設定されたときに、名称枠Ａ２０ｂと、名称枠Ａ２１ｂと、の重複領域Ａｘにタッチすると、オーダ端末１０２は、名称枠Ａ２１ｂがタッチされたものとして応答する。
【０１１１】
（ＧＵＩ設定の一連の流れの説明）
次に、図１６を用いてＧＵＩの作成処理の流れについて説明する。図１６は、ＧＵＩの作成処理の流れを示すフローチャートである。
【０１１２】
オーダ端末１０２ａ（ＣＰＵ２０２）は、タッチ枠設定処理を行う（ステップＳ４０）。タッチ枠設定処理の詳細な内容は、図７、図８、図９で説明した通りである。
【０１１３】
オーダ端末１０２ａ（ＣＰＵ２０２）は、名称枠設定処理を行う（ステップＳ４２）。名称枠設定処理の詳細な内容は、図１０で説明した通りである。
【０１１４】
オーダ端末１０２ａ（ＣＰＵ２０２）は、ｉボタン設定処理を行う（ステップＳ４４）。ｉボタン設定処理の詳細な内容は、図１１で説明した通りである。
【０１１５】
オーダ端末１０２ａ（ＣＰＵ２０２）は、各操作枠（ボタン）の割付情報の作成を行う（ステップＳ４６）。作成される割付情報は、図１４に示した通りである。
【０１１６】
以上説明したように、実施形態に係るオーダ端末１０２ａ（情報入力装置）は、表示部１１１（画像表示手段）と、操作領域設定手段４００と、操作領域重畳手段４１０と、を備える。表示部１１１は、メニュー品目（商品またはサービス）を表す写真画像Ａ２０ａ（画像情報）を、指定された表示サイズで表示する。操作領域設定手段４００は、メニュー品目と関連付いて、当該メニュー品目の選択を指示するタッチ枠Ａ２０ｃ（操作領域）を、写真画像Ａ２０ａに応じた位置に配置する。操作領域重畳手段４１０は、タッチ枠Ａ２０ｃの位置およびサイズを、写真画像Ａ２０ａの位置および表示サイズに応じて変更して、写真画像Ａ２０ａに重畳する。したがって、メニュー品目を表す写真画像Ａ２０ａの表示サイズが変更された場合であっても、写真画像Ａ２０ａの表示位置と、表示サイズと、に応じて、写真画像Ａ２０ａに重畳したタッチ枠Ａ２０ｃを容易に設定することができる。
【０１１７】
また、実施形態に係るオーダ端末１０２ａ（情報入力装置）によれば、操作領域配置手段４０４（操作領域設定手段４００）が、商品またはサービスと関連付いた所定サイズの基準操作領域Ａ５２（操作領域）を、写真画像Ａ２０ａ（画像情報）に応じた位置に複数配置する。そして、操作領域整列手段４１４（操作領域重畳手段４１０）が、複数の基準操作領域（Ａ９０〜Ａ９７）を、写真画像Ａ２０ａの形状に応じた位置に整列させることによって、写真画像Ａ２０ａに重畳する。したがって、写真画像Ａ２０ａが複雑な形状を有しているときであっても、写真画像Ａ２０ａに重畳したタッチ枠Ａ２０ｃを容易に設定することができる。
【０１１８】
そして、実施形態に係るオーダ端末１０２ａ（情報入力装置）によれば、写真画像Ａ２０ａ（画像情報）は、表示部１１１（画像表示手段）における表示領域を表すレイアウト情報Ｊを有して、操作領域配置手段４０４（操作領域設定手段４００）は、レイアウト情報Ｊに基づく位置に基準操作領域Ａ５２を配置する。そして、操作領域サイズ変更手段４１２（操作領域重畳手段４１０）は、レイアウト情報Ｊに基づいて、基準操作領域Ａ５２のサイズを変更して、写真画像Ａ２０ａの表示位置に応じた位置（例えば、写真画像Ａ２０ａに外接する位置）にタッチ枠Ａ２０ｃ（操作領域）を設定する。したがって、表示部１１１（画像表示手段）に表示される写真画像Ａ２０ａの表示サイズが変更された場合であっても、表示部１１１に表示された写真画像Ａ２０ａのレイアウト情報Ｊに基づいて、写真画像Ａ２０ａに関連付いたメニュー品目を選択するタッチ枠Ａ２０ｃ（操作領域）を容易に設定することができる。
【０１１９】
さらに、実施形態に係るオーダ端末１０２ａ（情報入力装置）によれば、操作領域配置手段４０４（操作領域設定手段４００）は、操作者の操作指示に基づく位置に基準操作領域Ａ５２を配置する。そして、操作領域サイズ変更手段４１２（操作領域重畳手段４１０）は、基準操作領域Ａ５２のサイズを、操作者の操作指示に応じて変更する。したがって、表示部１１１（画像表示手段）に表示される写真画像Ａ２０ａの表示サイズが変更された場合であっても、写真画像Ａ２０ａに関連付いたメニュー品目を選択するタッチ枠Ａ２０ｃ（操作領域）を、操作者の指示に応じて容易に設定することができる。
【０１２０】
また、実施形態に係るオーダ端末１０２（情報入力装置）によれば、情報表示領域設定手段４２０が、写真画像Ａ２０ａ（画像情報）に応じた位置に、写真画像Ａ２０ａと対応するメニュー品目（商品またはサービス）と関連付いた情報を表示するとともに、メニュー品目の選択を指示する操作領域を有する名称枠Ａ２０ｂ（情報表示領域）を設定する。したがって、メニュー品目の内容を示すとともに当該メニュー品目を選択するための名称枠Ａ２０ｂを、写真画像Ａ２０ａに応じた位置に容易に設定することができる。
【０１２１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【０１２２】
例えば、上記実施形態のオーダ端末１０２ａ（情報入力装置）で実行される注文選択指示プログラムＰ１およびＧＵＩ作成プログラムＰ２は、不揮発性メモリ２１５に予め組み込んで提供するものとしたが、これに限らないものとする。例えば、インストール可能な形式または実行可能な形式のファイルでＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録して提供してもよい。
【０１２３】
さらに、上記実施形態のオーダ端末１０２ａ（情報入力装置）で実行される注文選択指示プログラムＰ１およびＧＵＩ作成プログラムＰ２は、インターネット等のネットワークに接続されたコンピュータ上に格納して、ＬＡＮ１２２を介して、オーダ端末１０２ａにダウンロードさせることにより提供する構成にしてもよい。あるいは、インターネット等のネットワーク経由で提供または配布するように構成してもよい。
【符号の説明】
【０１２４】
１００    注文受付処理装置
１０２（１０２ａ、１０２ｂ）    オーダ端末（情報入力装置）
１１０    タッチパネル
１１１    表示部（画像表示手段）
４００    操作領域設定手段
４０２    メニュー品目関連付け手段
４０４    操作領域配置手段
４１０    操作領域重畳手段
４１２    操作領域サイズ変更手段
４１４    操作領域整列手段
４２０    情報表示領域設定手段
Ａ２０ａ  写真画像（画像情報）
Ａ２０ｂ、Ａ６０、Ａ６２  名称枠（情報表示領域）
Ａ２０ｃ  タッチ枠（操作領域）
Ａ５０、Ａ５２、Ａ５４、Ａ９０〜Ａ９７    基準操作領域
Ｐ１      注文選択指示プログラム
Ｐ２      ＧＵＩ作成プログラム
【先行技術文献】
【特許文献】
【０１２５】
【特許文献１】特許第５６１９０９６号公報
【図１】
2018010517.tif 000003
【図２】
2018010517.tif 000004
【図３】
2018010517.tif 000005
【図４】
2018010517.tif 000006
【図５】
2018010517.tif 000007
【図６】
2018010517.tif 000008
【図７】
2018010517.tif 000009
【図８】
2018010517.tif 000010
【図９】
2018010517.tif 000011
【図１０】
2018010517.tif 000012
【図１１】
2018010517.tif 000013
【図１２】
2018010517.tif 000014
【図１３】
2018010517.tif 000015
【図１４】
2018010517.tif 000016
【図１５】
2018010517.tif 000017
【図１６】
2018010517.tif 000018